(57)【要約】【課題】デザインボード等の厚いシートを切断することのできるカッターは、裁断するときに作業者が力を入れすぎるとカッターの刃面が傾き被裁断物の裁断面が斜めになってしまう課題、カッターの刃に横方向の力が掛かり折れやすい課題があった。【解決手段】被切断物Ｄを押圧可能なグリップ３を有する固定台２と、複数の平行なレール部５を有し固定台２の側面に当接して被切断物Ｄを押圧可能なレール台４と、レール台４のレール部５に摺動自在でかつカッターナイフ８を設けたスライド部７とを有するレール式ラインカッター１ａによって解決する。また、被切断物Ｄを押圧可能なグリップ３を有しかつ複数の平行なレール部５を有するレール台４と、レール台４のレール部５に摺動自在でかつカッターナイフ８を設けたスライド部７とを有するレール式ラインカッター１ｂによる。【選択図】  図１
2010131282.tif 000002
【特許請求の範囲】
【請求項１】
被切断物を押圧可能なグリップを有しかつ複数の平行なレール部を有するレール台と、レール台のレール部に摺動自在でかつカッターナイフを設けたスライド部とを有することを特徴とするレール式ラインカッター。
【請求項２】
被切断物を押圧可能なグリップを有する固定台と、複数の平行なレール部を有し固定台の側面に当接して被切断物を押圧可能なレール台と、レール台のレール部に摺動自在でかつカッターナイフを設けたスライド部とを有することを特徴とするレール式ラインカッター。
【請求項３】
被切断物を押圧可能なグリップを有する固定台と、複数の平行なレール部を有し固定台の側面に当接して被切断物を押圧可能なレール台と、レール台のレール部に摺動自在なスライド部と、スライド部に着脱可能なカッターナイフとを有することを特徴とするレール式ラインカッター。
【発明の詳細な説明】
【技術分野】
【０００１】
この発明は、自動車の内装等に使用されるデザインボード等の厚い物を直線状に裁断することが可能であり、かつ刃折れや指切りを起こすことがないレール式ラインカッターに関する。詳細には、デザインボード等の厚い物を平行な直線状で、かつ平面に対し直角に裁断することが可能なレール式ラインカッターに関する。
【背景技術】
【０００２】
自動車の内装等に使用するデザインボード等の厚い物を直線状に切ることができるラインカッターとしては、ステンレスエッジ付きカッティングスケール（従来技術１）や、マット上に刃付きガイド装置を有するラインカッター（従来技術２）が知られている。
【０００３】
従来技術１のステンレスエッジ付きカッティングスケール１００は、図８のスケール断面図に示すように定規側面下部にステンレスエッジ１０１を設けており、そのステンレスエッジにカッターナイフの刃１０２を当てて、ステンレスエッジ１０１に沿って刃を移動させデザインボードのような被切断物Ｄを直線状に切断していた。
【０００４】
また、従来技術２のラインカッターは、ゴム板等から成るマット上にデザインボード等の被裁断物を置き、その被裁断物の上に刃付きガイド装置を置いて被裁断物を挟み、上の刃付きガイド装置の刃を直線状にガイドさせて紙等の薄い用紙を切断していた。
【０００５】
更に、特開２００２−１８８２９号公報（従来技術３）には、「相隣接する施工面の勾配角による出隅または入隅の稜線に沿って複数枚順次に敷込み施工される方形板材の切断線に対する歩出し寸法を各方形板材の配列順に予め求め、それを適用し、各方形板材の一辺を斜辺として切断するのに用いられるカッター装置であって、方形板材の板面を直線切りするカッターと、方形板材の切断側を支持し且つ方形板材の切断線を定めるカッター台と、方形板材の切断線と直交する方向でカッター台より水平に張り出すブラケットプレートと、方形板材の切断線となす延長線の交差角を施工面の勾配角と同角に保ってカッター台とブラケットプレートとの間に掛け渡す直線定規とを備え、上記直線定規は、方形板材の対辺側を支持する受け台と、方形板材の底辺側を支持するカーソルとを有し、カッター台と受け台とに掛渡し配置される方形板材を予め定められた各歩出し寸法に応じてカーソルで移動する歩出しスケールとして備え付けたことを特徴とするカッター装置」が開示されている。
【０００６】
更にまた、特開平１０−１７５２０６号公報（従来技術４）には、「切断ラインが上下方向に凹凸形状となるような切断対象物等であっても容易にかつ確実に切断し得るようにする」カッター装置として、「基台２に対し立設した保持枠２２ａに対し案内レール３を第１揺動軸Ｘ1 回りに揺動可能に取付け、案内レールに沿ってスライドするスライダ４に対し電動カッター５を第２揺動軸Ｘ2 回りに揺動可能に取付ける。電動カッターには切断屑を吸引・捕集する集塵手段６を付設する。基台には、切断位置の寸法を計るスケール７をＸ方向にスライド可能に設け、スケールから突出する角度調整アーム８を旋回可能に設け、かつ、スライドテーブル９を設ける。基台面２１に載置した切断対象物を上から押さえ付ける保持手段１０を着脱可能に係止させる。スライダを、前端上部で上側案内バーに下から当接するローラと、後端株で下側案内バーに上から当接するローラとで案内レールに沿ってスライド可能に支持する」という開示がある。
【特許文献１】特開２００２−１８８２９号公報（従来技術３）
【特許文献２】特開平１０−１７５２０６号公報（従来技術４）
【発明の開示】
【発明が解決しようとする課題】
【０００７】
従来技術１は、デザインボード等の比較的厚い被裁断物を裁断するときに、作業者が力を入れすぎると図８に示すようにカッターの刃面１０２が傾きその影響で被裁断物Ｄの裁断面ＤＣが斜めになってしまう課題があった（図９参照）。更に、従来技術１のようにステンレスエッジ付きカッティングスケールでは刃１０２の片面をエッジに押し付けて裁断するためカッターの刃１０２に横方向の力が掛かり折れやすい課題があった。更に又、ステンレスエッジ付きカッティングスケールを押さえて支持する手の位置関係を誤ると、指などをカッターで傷つけて怪我をしてしまう虞があった。
【０００８】
また、従来技術２は、ガイド装置が付いているため直線的な切断は可能であるが、デザインボード等の厚いシートを切断することはできなかった。
【０００９】
更に又、自動車に使用するデザインボードにおいて平行なラインのカットや、等間隔な平行線のカットを行う場合、従来技術１ではステンレスエッジ付きカッティングスケールを平行移動させた後のセット位置や向きを誤ると求められる平行ラインに仕上がることができない課題があった。また、従来技術２でも平行なラインのカットや、等間隔な平行線のカットを行う場合、被裁断物のセット位置を誤ると平行ラインの切断にならない課題があった。
【００１０】
また、従来技術３及び従来技術４は、カッター装置として複雑な形状のカットを行う装置であり、本発明のように直線、平行なラインで裁断する装置ではない。
【課題を解決するための手段】
【００１１】
この発明は、上記課題を解決するために、被切断物を押圧可能なグリップを有しかつ複数の平行なレール部を有するレール台と、レール台のレール部に摺動自在でかつカッターナイフを設けたスライド部とを有することを特徴とするレール式ラインカッターを提案する。
【００１２】
また、被切断物を押圧可能なグリップを有する固定台と、複数の平行なレール部を有し固定台の側面に当接して被切断物を押圧可能なレール台と、レール台のレール部に摺動自在でかつカッターナイフを設けたスライド部とを有することを特徴とするレール式ラインカッターを提案する。
【００１３】
更に、被切断物を押圧可能なグリップを有する固定台と、複数の平行なレール部を有し固定台の側面に当接して被切断物を押圧可能なレール台と、レール台のレール部に摺動自在なスライド部と、スライド部に着脱可能なカッターナイフとを有することを特徴とするレール式ラインカッターを提案する。
【発明の効果】
【００１４】
この発明によれば、被切断物を押圧可能なグリップを有しかつ複数の平行なレール部を有するレール台と、レール台のレール部に摺動自在でかつカッターナイフを設けたスライド部により、デザインボード等の比較的厚い被裁断物を、上下面に対し直角に切断することができる。
【００１５】
更にこの発明によれば、複数の平行なレール部を設けており、そのレール部にスライド部を平行移動させることにより確実にカッターナイフの刃面を想定した間隔の平行位置に確実に移動することができる。
【００１６】
更にまた、この発明によれば、カッターナイフの刃面をスケールのサイドエッジ等に横方向から押圧しながら切断しないため、デザインボード等の比較的厚い被裁断物を裁断するときにおいても上下面に対し斜めにならず直角に切断するとともに、刃面が折れたり、スケールを押さえていた手の指を切る等の作業者の怪我を防止することができる。
【発明を実施するための最良の形態】
【００１７】
この発明の実施の形態であるレール式ラインカッターについて、スライド部とカッターナイフを外した平面説明図である図１、同じくスライド部とカッターナイフを装着した平面説明図である図２、同じく固定台を図２とは逆にレール台の右側に置いた平面説明図である図３、この発明の第２実施の形態であるレール式ラインカッターであり、スライド部とカッターナイフを装着した平面説明図である図４、同じく側面斜視図である図５，正面斜視図である図６、作業者による使用状態を示す正面斜視説明図である図７に基づいて説明する。
【００１８】
この発明の第１実施形態を示すレール式ラインカッター１ａは、被切断物Ｄを押圧可能なグリップ３を有する固定台２と、複数の平行なレール部５を有し固定台２の側面２０と側面４０同士で当接して被切断物Ｄを押圧可能なレール台４と、レール台４のレール部５に摺動自在なスライド部７と、スライド部７に接着剤９によって固着可能なカッターナイフ６とを有する。
【００１９】
固定台２は、１ｃｍ−２ｃｍ厚の方形の板状体であり、中央に作業者が手Ｈで握ることのできるグリップ３を有している。
【００２０】
レール台４は、固定台２とほぼ同厚の方形の板状体であり、幅方向中央に長手方向に渡って方形の孔である裁断間隙６を設けており、裁断間隙６の左右それぞれに複数の直線状のレール部５を設けている。
【００２１】
レール部５は、この実施形態では裁断間隙６の左右それぞれに２本、合計４本の直線状の互いに平行な溝５ａ、５ｂを設けてなり、それぞれの溝５ａ、５ｂは深さ２ｍｍ程度、幅２ｍｍ程度のＵ字状溝又は凹状溝からなる。平行な左の溝５ａＬと右の溝５ａＲ間の距離と、平行な左の溝５ｂＬと、右の溝５ｂＲ間の距離とは同じに形成する。レール部５は、裁断間隙６の左右それぞれに１本以上の同数の直線状の溝、又は凸状のレールを形成し、それぞれ同間隔で形成すればよく３本以上でもよい。
【００２２】
スライド部７は、板状体からなり底部両側部にレール部５の溝５ａＬ、５ａＲ又は溝５ｂＬ、５ｂＲに摺動自在に係合する直線状の係合凸部７０、７０を設けている。スライド部７の上面には、カッターナイフ８を刃面８ａのスライド部７の板状体より斜め下方に突出して接着剤９によって固着して設ける。カッターナイフ８は、この実施形態では着脱可能であるが、別の実施形態ではスライド部７の固定した状態で設けてもよい。
【００２３】
レール部５が、凸状のレールからなる実施形態である場合は、スライド部７の底部両側部には凸状レールと係合可能な係合溝部（図示せず）を形成する。
【００２４】
この発明の第２実施形態を示すレール式ラインカッター１ｂは、被切断物Ｄを押圧可能なグリップ２を有しかつ複数の平行なレール部３を有する固定レール台１０と、固定レール台１０のレール部５に摺動自在でかつカッターナイフ８を設けたスライド部７とを有する。
【００２５】
固定レール台１０は、図４に示すように１ｃｍ−２ｃｍ厚の方形の１枚の板状体であり、左側（又は右側）に作業者が手Ｈで握ることのできるグリップ３を有し、右側（又は左側）に長手方向に渡って方形の孔である裁断間隙６を設けており、裁断間隙６の左右それぞれに複数の直線状のレール部５を設けている。レール部５及びを有している。
【００２６】
レール部５は、この実施形態では裁断間隙６の左右それぞれに２本、合計４本の直線状の溝５ａＬ、５ａＲ、５ｂＬ、５ｂＲを設けており、それぞれの溝５ａＬ、５ａＲ、５ｂＬ、５ｂＲは第１実施形態と同様である。
【００２７】
スライド部７は、第１実施形態と同様であり、板状体からなり底部両側部にレール部５の溝５ａＬ、５ａＲ又は溝５ｂＬ、５ｂＲに摺動自在に係合する直線状の係合凸部７０、７０を設けている。スライド部７の上面には、カッターナイフ８を刃面８ａのスライド部７の板状体より斜め下方に突出して接着剤９によって固着して設ける。カッターナイフ８は、この実施形態では着脱可能であるが、別の実施形態ではスライド部７の固定した状態で設けてもよい。
【００２８】
次に、この発明の第１実施形態のレール式ラインカッター１ａの作用について説明する。作業者は、被裁断物Ｄであるデザインボードの上に固定台２を置き手Ｈでグリップ３を握りデザインボードＤを上から押圧する。更に固定台２の右側面に沿ってレール台４の左側面を密接に合わせて同様にデザインボードＤを上から押圧する。図１及び図２に示す例は固定台２の右側にレール台４を置くが、図３に示すように固定台２の左側にレール台４を置いてもよい。この選択は作業者の効き腕や作業状況によって変更する。
【００２９】
次に、レール台４のレール部５にスライド部７の係合凸部７０、７０を溝５ａ、５ａ又は５ｂ、５ｂに係合させる。次にカッターナイフ８を刃面８ａが裁断間隙６から下方にある被裁断物Ｄを裁断可能な位置まで降ろし、スライド部７に接着剤９によって固定する。
【００３０】
この裁断状態でスライド部７をレール部５の溝５ａ、５ａをスライドさせて被裁断物Ｄを裁断する。
【００３１】
次にスライド部７を平行するレール部５の溝５ｂ、５ｂに係合させ同様にスライドさせて被裁断物Ｄを裁断する。これによって溝５ａと溝５ｂの距離だけ離れた平行でかつ被裁断物Ｄの上下面とは直角な裁断面を有して平行な側面を有する長方形等の形状でデザインボードＤを裁断することができる。
【００３２】
また、この発明の第２実施形態のレール式ラインカッター１ｂは、この発明の第１実施形態のレール式ラインカッター１ａの固定台２とレール台４を１枚の板状体に設けた物で裁断する作用は上述した第１実施形態のレール式ラインカッター１ａと同様である。
【産業上の利用可能性】
【００３３】
この発明は、自動車のデザインボード等の厚い被切断物を切る、特に直線状に切るためのラインカッターとして利用される。
【図面の簡単な説明】
【００３４】
【図１】この発明の第１実施形態であるレール式ラインカッターであり、スライド部とカッターナイフを外した平面説明図
【図２】この発明の第１実施の形態であるレール式ラインカッターであり、スライド部とカッターナイフを装着した平面説明図
【図３】同じくこの発明の第１実施の形態であるレール式ラインカッターであり、固定台を図２とは逆にレール台の右側に置いた平面説明図
【図４】この発明の第２実施の形態であるレール式ラインカッターであり、スライド部とカッターナイフを装着した平面説明図
【図５】同じく側面斜視図
【図６】同じく正面斜視図
【図７】同じく作業者による使用状態を示す正面斜視説明図
【図８】従来技術１のステンレスエッジ付きカッティングスケールにカッターナイフの刃を当てて、被切断物を裁断する断面図
【図９】従来技術１で裁断した被切断物の断面図
【符号の説明】
【００３５】
１（１ａ、１ｂ）  レール式ラインカッター
２  固定台
３  グリップ
４  レール台
５  レール部
６  裁断間隙
７  スライド部
８  カッターナイフ
８ａ  ナイフの刃面
９  接着剤
１０  固定レール台（第２実施形態）
Ｄ  被裁断物
Ｈ  作業者の手
【図１】
2010131282.tif 000003
【図２】
2010131282.tif 000004
【図３】
2010131282.tif 000005
【図４】
2010131282.tif 000006
【図５】
2010131282.tif 000007
【図６】
2010131282.tif 000008
【図７】
2010131282.tif 000009
【図８】
2010131282.tif 000010
【図９】
2010131282.tif 000011